【手続補正書】
【提出日】令和2年9月23日(2020.9.23)
【手続補正１】
【補正対象書類名】明細書
【補正対象項目名】０００７
【補正方法】変更
【補正の内容】
【０００７】
上記の課題を解決するために、本発明の電子機器は、設定された処理モードに応じた処理を実行可能な制御部を備える電子機器であって、前記制御部は、前記処理モードを既定の処理モードへ設定する既定モード設定処理を実行し、前記既定モード設定処理の実行終了後、最初に前記電子機器の電源がオフになるまでの第１期間は少なくとも、前記処理モードを変更するための既定の操作を実行しても、前記処理モードを変更しないように規制する。
【手続補正２】
【補正対象書類名】特許請求の範囲
【補正対象項目名】全文
【補正方法】変更
【補正の内容】
【特許請求の範囲】
【請求項１】
設定された処理モードに応じた処理を実行可能な制御部を備える電子機器であって、
前記制御部は、
前記処理モードを既定の処理モードへ設定する既定モード設定処理を実行し、
前記既定モード設定処理の実行終了後、最初に前記電子機器の電源がオフになるまでの第１期間は少なくとも、前記処理モードを変更するための既定の操作を実行しても、前記処理モードを変更しないように規制する、電子機器。
【請求項２】
前記制御部は、
前記第１期間に、前記既定の操作に用いられる特定のキーが、当該既定の操作とは異なる方法で操作されたと判別すると、前記電子機器に設定されている前記処理モードを当該設定されている処理モードとは異なる別の処理モードへ変更する、請求項１記載の電子機器。
【請求項３】
前記制御部は、
前記既定モード設定処理の実行終了後、最初に前記電子機器の電源がオフになった後の前記電子機器の電源オン中である第２期間は、前記既定の操作が実行されたと判別すると、前記電子機器に設定されている前記処理モードを当該設定されている処理モードとは異なる別の処理モードへ変更する、請求項１又は請求項２記載の電子機器。
【請求項４】
前記制御部は、
前記第１期間は、前記処理モードを変更するための既定の操作を実行しても、前記処理モードを変更しないように規制する、請求項１乃至請求項３の何れか一項記載の電子機器。
【請求項５】
前記制御部は、
予め定めた処理を実行したことに応じて、前記既定モード設定処理を実行するとともに、当該予め定めた処理を実行済みであることを示す第１情報を前記電子機器の記憶部に記憶させ、
前記電子機器の電源がオフになるとき、前記予め定めた処理を実行済みであることを示さない第２情報を前記記憶部に記憶させ、
前記既定の操作が実行された場合、
前記記憶部に前記第１情報が記憶されていると判別すると、前記電子機器に設定されている前記処理モードを変更せず、
前記記憶部に前記第２情報が記憶されていると判別すると、前記電子機器に設定されている前記処理モードを当該設定されている処理モードとは異なる別の処理モードへ変更する、請求項１乃至請求項４の何れか一項記載の電子機器。
【請求項６】
設定された処理モードに応じた処理を実行可能な制御部を有する電子機器であって、
前記制御部は、
前記処理モードを既定の処理モードへ設定する既定モード設定処理を実行し、
前記既定モード設定処理の実行終了後、最初に前記電子機器の電源がオフになるとき、前記既定モード設定処理を再度実行し、
前記既定モード設定処理の実行終了後、２回目以降に前記電子機器の電源がオフになるとき、前記既定モード設定処理を実行しない、電子機器。
【請求項７】
前記制御部は、
予め定めた処理を実行したことに応じて、前記既定モード設定処理を実行するとともに、当該予め定めた処理を実行済みであることを示す第１情報を前記電子機器の記憶部に記憶させ、
その後、前記電子機器の電源がオフになるとき、前記予め定めた処理を実行済みであることを示さない第２情報を前記記憶部に記憶させる、請求項６記載の電子機器。
【請求項８】
前記制御部は、
前記電子機器の電源がオフになるとき、前記記憶部に前記第１情報が記憶されていると判別すると、前記第２情報を前記記憶部に記憶させる、請求項７記載の電子機器。
【請求項９】
前記制御部は、
予め定めた処理を実行したことに応じて、前記既定モード設定処理を実行するとともに、当該予め定めた処理を実行済みであることを示す第１情報を前記電子機器の記憶部に記憶させ、
前記電子機器の電源がオフになるとき、前記記憶部に前記第１情報が記憶されていると判別すると、前記既定モード設定処理を再度実行し、
前記電子機器の電源がオフになるとき、前記記憶部に前記第１情報が記憶されていないと判別すると、前記既定モード設定処理を実行しない、請求項６乃至８の何れか一項記載の電子機器。
【請求項１０】
前記制御部は、
前記電子機器の電源がオンになるとき、前回、当該電子機器の電源がオフになったときの処理モードで、前記電子機器を起動する、請求項１乃至９の何れか一項記載の電子機器。
【請求項１１】
設定された処理モードに応じた処理を実行可能な制御部を有する電子機器であって、
前記制御部は、
前記処理モードを既定の処理モードへ設定する既定モード設定処理を実行し、
前記既定モード設定処理の実行終了後、最初に前記電子機器の電源がオフからオンになるとき、前記既定モード設定処理を再度実行し、
前記既定モード設定処理の実行終了後、２回目以降に前記電子機器の電源がオフからオンになるとき、前記既定モード設定処理を実行しない、電子機器。
【請求項１２】
前記制御部は、
予め定めた処理を実行したことに応じて、前記既定モード設定処理を実行するとともに、当該予め定めた処理を実行済みであることを示す第１情報を前記電子機器の記憶部に記憶させ、
前記電子機器の電源がオフからオンになるとき、前記予め定めた処理を実行済みであることを示さない第２情報を前記記憶部に記憶させる、請求項１１記載の電子機器。
【請求項１３】
前記制御部は、
前記電子機器の電源がオフからオンになるとき、前記記憶部に前記第１情報が記憶されていると判別すると、前記第２情報を前記記憶部に記憶させる、請求項１２記載の電子機器。
【請求項１４】
前記制御部は、
予め定めた処理を実行したことに応じて、前記既定モード設定処理を実行するとともに、当該予め定めた処理を実行済みであることを示す第１情報を前記電子機器の記憶部に記憶させ、
前記電子機器の電源がオフからオンになるとき、前記記憶部に前記第１情報が記憶されていると判別すると、前記既定モード設定処理を再度実行し、
前記電子機器の電源がオフからオンになるとき、前記記憶部に前記第１情報が記憶されていないと判別すると、前記既定モード設定処理を実行しない、請求項１１乃至１３の何れか一項記載の電子機器。
【請求項１５】
前記制御部は、
前記予め定めた処理の実行終了後、最初に前記電子機器の電源がオフになるまでの第３期間、オートパワーオフ機能によって前記電子機器の電源をオフする、請求項４、請求項６乃至請求項８、及び、請求項１１乃至請求項１３の何れか一項記載の電子機器。
【請求項１６】
前記制御部は、
前記予め定めた処理の実行終了後、最初に前記電子機器の電源がオフになるまでの第３期間、電源オフキーの操作を無効化する、請求項４、請求項６乃至請求項８、及び、請求項１１乃至請求項１４の何れか一項記載の電子機器。
【請求項１７】
前記電子機器は、計算機であって、
前記処理モードは、前記計算機が実行可能な税込計算モード及び税抜計算モードの何れかであって、
前記処理モードに応じた処理は、税込計算処理及び税抜計算処理の何れかであって、
前記予め定めた処理は、前記計算機の工場検査処理である、請求項４、請求項６乃至請求項８、及び、請求項１１乃至請求項１５の何れか一項記載の電子機器。
【請求項１８】
設定された処理モードに応じた処理を実行可能な電子機器のコンピュータを、
前記処理モードを既定の処理モードへ設定する既定モード設定処理を実行し、
前記既定モード設定処理の実行終了後、最初に前記電子機器の電源がオフになるまでの第１期間は少なくとも、前記処理モードを変更するための既定の操作を実行しても、前記処理モードを変更しないように規制する、ように機能させるためのプログラム。
【請求項１９】
設定された処理モードに応じた処理を実行可能な電子機器のコンピュータを
前記処理モードを既定の処理モードへ設定する既定モード設定処理を実行し、
前記既定モード設定処理の実行終了後、最初に前記電子機器の電源がオフになるとき、前記既定モード設定処理を再度実行し、
前記既定モード設定処理の実行終了後、２回目以降に前記電子機器の電源がオフになるとき、前記既定モード設定処理を実行しない、ように機能させるためのプログラム。
【請求項２０】
設定された処理モードに応じた処理を実行可能な電子機器のコンピュータを、
前記処理モードを既定の処理モードへ設定する既定モード設定処理を実行し、
前記既定モード設定処理の実行終了後、最初に前記電子機器の電源がオフからオンになるとき、前記既定モード設定処理を再度実行し、
前記既定モード設定処理の実行終了後、２回目以降に前記電子機器の電源がオフからオンになるとき、前記既定モード設定処理を実行しない、ように機能させるためのプログラム。
【請求項２１】
設定された処理モードに応じた処理を実行可能な制御部を備える電子機器の制御方法であって、
前記制御部は、
前記処理モードを既定の処理モードへ設定する既定モード設定処理を実行し、
前記既定モード設定処理の実行終了後、最初に前記電子機器の電源がオフになるまでの第１期間は少なくとも、前記処理モードを変更するための既定の操作を実行しても、前記処理モードを変更しないように規制する、制御方法。
【請求項２２】
設定された処理モードに応じた処理を実行可能な制御部を有する電子機器の制御方法であって、
前記制御部は、
前記処理モードを既定の処理モードへ設定する既定モード設定処理を実行し、
前記既定モード設定処理の実行終了後、最初に前記電子機器の電源がオフになるとき、前記既定モード設定処理を再度実行し、
前記既定モード設定処理の実行終了後、２回目以降に前記電子機器の電源がオフになるとき、前記既定モード設定処理を実行しない、制御方法。
【請求項２３】
設定された処理モードに応じた処理を実行可能な制御部を有する電子機器の制御方法であって、
前記制御部は、
前記処理モードを既定の処理モードへ設定する既定モード設定処理を実行し、
前記既定モード設定処理の実行終了後、最初に前記電子機器の電源がオフからオンになるとき、前記既定モード設定処理を再度実行し、
前記既定モード設定処理の実行終了後、２回目以降に前記電子機器の電源がオフからオンになるとき、前記既定モード設定処理を実行しない、制御方法。